(57)【特許請求の範囲】
【請求項１】
子機と、前記子機及び外線と接続された主装置とからなるボタン電話システムにおいて、
前記子機は、電話帳データ表示中における電話帳データ表示優先又は着信データ表示優先が設定可能な表示手段、携帯電話機に接続する接続手段及び、携帯電話機に電話帳データの送信を指示する手段を備え、前記表示手段は、接続された携帯電話機から送信された電話帳データを表示可能であり、かつ前記主装置は前記子機を介して携帯電話機から送信される前記電話帳データを記憶する記憶手段を有し、前記記憶手段に記憶された前記電話帳データを子機の表示手段で表示することを特徴とするボタン電話システム。
【請求項２】
請求項１に記載されたボタン電話システムにおいて、
前記子機は、前記携帯電話機から送信される電話帳データのデータ送信中に受信データ中の検索内容をチェックする手段、電話帳データの検索内容に該当するデータを抽出して表示する手段を有することを特徴とするボタン電話システム。
【発明の詳細な説明】
【０００１】
【発明の属する技術分野】
本発明は、携帯電話機に記憶された電話帳データを子機（デジタル電話機又はボタン電話機）において表示できるようにしたボタン電話システムに関するものである。
【０００２】
【従来の技術】
近年携帯電話機は、電波の届く範囲が拡大し、従来は電波が届き難かった例えばビル内や移動中においても通話が可能になってきていることから、私的な利用に加え業務用としても移動端末を利用する人が増えてきている。この場合、私的な携帯電話機と業務用の携帯電話機を別々に持ち歩くのは不便であるから、実際上は一台の移動電話を私的にもあるいは業務用にも利用している。
ところで、携帯電話機はどこでも使用できるように一般に電話帳機能が充実しているため、これをアドレス帳の代わりに使用することも多くなってきている。この場合、携帯電話機の電話帳機能に慣れた人にとっては、オフィスで使用しているボタン電話装置の短縮ダイアルやオートダイヤルの機能では使い勝手が悪く、そのためボタン電話装置を利用して電話をかけるときも、携帯電話機の電話帳機能に登録された番号を表示し、それを見ながら相手を呼び出すことがよく行われている。
しかし、これでは電話の度ごとに携帯電話機の電話帳機能により電話番号を呼び出して、それを確認する必要があるため不便である。
【０００３】
【発明が解決しようとする課題】
本発明は以上のような事情に鑑みてなされたものであって、ボタン電話装置を利用して電話をかける場合に、携帯電話機に記憶された電話帳データをそのままボタン電話装置で表示できるようすることを目的とするものである。
【０００４】
【課題を解決するための手段】
請求項１の発明は、子機と、前記子機及び外線と接続された主装置とからなるボタン電話システムにおいて、
前記子機は、電話帳データ表示中における電話帳データ表示優先又は着信データ表示優先が設定可能な表示手段、携帯電話機に接続する接続手段及び、携帯電話機に電話帳データの送信を指示する手段を備え、前記表示手段は、接続された携帯電話機から送信された電話帳データを表示可能であり、かつ前記主装置は前記子機を介して携帯電話機から送信される前記電話帳データを記憶する記憶手段を有し、前記記憶手段に記憶された前記電話帳データを子機の表示手段で表示することを特徴とするボタン電話システムである。
【０００５】
請求項２の発明は、請求項１に記載されたボタン電話システムにおいて、前記子機は、前記携帯電話機から送信される電話帳データのデータ送信中に受信データ中の検索内容をチェックする手段、電話帳データの検索内容に該当するデータを抽出して表示する手段を有することを特徴とするボタン電話システムである。
【０００８】
（ａ）主装置
主装置1には、各ＩＳＤＮ回線との間のインタフェースであるデジタル局線ユニット１１１、１１２、各アナログ局線との間のインタフェースである各局線回路１２１、１２２を有するアナログ局線ユニット１２が設けられている。ここで、デジタル局線ユニット１１は、ＩＳＤＮ回線を終端する回線終端回路（ＤＳＵ）１１Ａ、トランスＴ及びＩＳＤＮの基本インタフェース（２Ｂ＋Ｄ）である基本インタフェースコントローラ１１Ｂから構成されている。
【０００９】
主装置１には、ＩＳＤＮ回線からの図示しないクロック信号を検出して本装置をＩＳＤＮ回線側に同期させる同期ユニット１３、音声信号の録音及び再生を行う録再ユニット１４、外線を介し本装置へ到来するＰＢ信号を受信するＰＢレシーバ１５、外線の保留時に外線へ保留音を送出するための保留音回路１６、外線からのビジートーン（ＢＴ）を検出するＢＴ検出回路１７が設けられている。
更に、主装置１には、ＩＳＤＮ回線のＢ１，Ｂ２の２つの通話チャネルの通話路上への送出のタイミングを制御するＢチャネル制御部１８、通話路である時分割多重通話路スイッチ１９、子機３１〜３ｎとの間で伝送を行う伝送回路２０、子機３１〜３nとのインタフェースである内線回路２１１〜２１n、以上の各部を制御する制御部２２、データを記憶する記憶部２３、及び主装置1の各部に電源を供給する電源回路２４が設けられており、その構成自体は従来のものと同様である。
【００１０】
（ｂ）子機
図２は主装置１に接続される子機３の構成を概略的に示すブロック図である。
主装置１に接続される子機３は、図２に示すように、主装置1との間で伝送を行うと共に伝送線路を介して主装置１から供給される電力を抽出して電話機の各部に供給する伝送回路３１と、通話回路３２と、本体装置の制御部２２の指示で子機３の制御を行うＣＰＵ３３とを備えている。ここでＣＰＵ３３には、各外線キーからなる外線キー部３４、ダイヤルキー３５、機能キー３６及びフックスイッチ３７等の操作部、メモリ３８、携帯電話機の電話帳データを含む各種データを表示するデータ表示器を駆動するＬＣＤ表示回路３９、外線ランプなどのＬＥＤ表示回路４０、着信音等を出力するトーンリンガ４１が接続され、とくに、本電話機は、後述する携帯電話機のＣＰＵとの間でデータを伝送するためのデータ入出力端子４２が設けられている。
【００１１】
ここで、子機における電話帳データ表示器は以下のような表示優先を設定できる機能を有している。
（１）電話帳データ表示優先設定機能
子機の表示器を電話帳データ表示優先に設定すると、電話帳データの表示中に着信データ、着信表示データを受信してもそれらを無効として電話帳データの表示を継続する。
（２）着信データ表示優先設定機能
子機の表示器を着信データ表示優先に設定し、電話帳データの表示中に着信データ、着信表示データを受信すると、
（ａ）内線呼出の場合は、表示はそのままでランプ、呼出音は鳴動する。
（ｂ）時刻データについては、表示はそのままでランプ、呼出音は鳴動する。
（ｃ）着信データについては、表示はそのままでランプ、呼出音は鳴動する。
（ｄ）特殊着信（ダイヤルイン・サブアドレスなどの発信側が着信側を指定してくるような場合）には、表示を一時中断して、着信画面に移行する（この場合は終話で表示を再開する）。
【００１２】
２、携帯電話機
図３は、ＰＨＳ端末（パーソナル・ハンディホン・システム、以下、携帯電話機という）と呼称される移動無線システムを構成する携帯電話機の構成を概略的に示すブロック図である。
図示のように、携帯電話機１００は、従来のものと同様に無線送受信部５１、モデム復調器５２、音声入出力端子６３、チャンネルコーディック５４、５６、音声コーディック５５、モデム変調器５７、ＣＰＵ５８、キーボード５９等から成っている。ここで、音声コーディック５５にはスイッチ６０が接続され、音声コーディック５５に入出力される音声信号はスイッチ６０によりスピーカ６１、マイク６２側と、音声入出力側とに切り替えられる。ＣＰＵ５８は携帯電話機全体の制御を行うとともに、子機３からの指示により前記データ入出力端子５３を通して、その電話帳データをボタン電話装置に伝送する機能を有している。
携帯電話機１００の無線送受信部５１は、受信アンプ１１１、第１〜第３ミキサ１１２〜１１４、中間周波発生部１１５、直交変調器１１６、送信アンプ１１７、アンテナＡＴの送受を切り替えるアンテナスイッチ１１８、及び第１〜第３ミキサ１１２〜１１４等に所定の周波数信号を供給するＰＬＬシンセサイザ１１９から構成されている。
【００１３】
次に、以上で説明したボタン電話装置及び携帯電話機を用いて、携帯電話機のメモリに記憶された電話帳データをボタン電話装置の表示器に表示するためのデータの処理方法について説明する。
（表示データ処理方法１）
携帯電話機のデータ入出力端子５３と子機のデータ入出力端子４２とを接続し、子機のメモリに対し、携帯電話機の電話帳データを格納する。
この際、携帯電話機からの子機へのデータ転送は、子機の操作キーによって行うが、別の方法として、携帯電話機と子機とを接続することにより自動的にデータ転送を行うようにすることもできる。
つまり、必要に応じて子機に専用の記憶装置を搭載して、携帯電話機がその子機に接続されると、接続された携帯電話機の全ての電話帳データを前記子機の記憶装置（メモリ）に対して、例えば自動的にダウンロードし、表示に備えるものである。
【００１４】
次に、以上で説明したボタン電話システムにより携帯電話機の電話帳データを表示するための処理を図４に示すフロー図を参考に説明する。
まず、子機側で携帯電話機の電話帳データ取得操作がなされると（Ｓ１０１、ＹＥＳ）、携帯電話機に電話帳データの転送要求を送り（Ｓ１０２）、転送されたデータの受信処理を行って（Ｓ１０３）電話帳データをメモリに格納する（Ｓ１０４）。この処理を携帯電話機からのデータ転送が行われている間中継続し、転送が終了すると（Ｓ１０５、ＹＥＳ）、転送終了を表示する（Ｓ１０６）。
続いてデータの表示操作により（Ｓ１０７、ＹＥＳ）データを表示する（Ｓ１０８）。データの表示操作がなく（Ｓ１０７、ＮＯ）、データの検索操作が行われれば（Ｓ１０９、ＹＥＳ）検索処理を実行し（Ｓ１１０）、検索したデータを表示する（Ｓ１０８）。
ステップＳ１０９において、データの検索操作が行われず（Ｓ１０９、ＮＯ）、主装置から他のデータの表示要求があれば（Ｓ１１１、ＹＥＳ）、表示制御処理を施し（Ｓ１１２）、例えば前記特殊着信のようなデータの表示であれば（Ｓ１１３、ＹＥＳ）、表示中の電話帳の表示データがあればそれを一時保存して（Ｓ１１４）前記特殊着信のようなデータを表示する（Ｓ１１５）。該データの表示が終了すれば（Ｓ１１６、ＹＥＳ）、元の表示データ（つまり、電話帳の表示データ）の表示を再開する（Ｓ１１７）。
ステップＳ１１１において主装置からのデータ表示要求なく（Ｓ１１１、ＮＯ）、終了操作がなされれば（Ｓ１１８、ＹＥＳ）、表示を消去して（Ｓ１１７）、処理を終了する。終了操作がなされなければ（Ｓ１１８、ＮＯ）前記ステップＳ１０７に戻る。
【００１５】
（表示データ処理方法２）
この方法では、携帯電話機のデータ入出力端子５３と子機のデータ入出力端子４２とを接続し、子機を介して主装置の記憶部２３に携帯電話機の電話帳データを格納する。この場合も携帯電話機からの子機へのデータ転送は、子機の操作キーによって行うが、別の方法として、携帯電話機と子機とを接続することにより自動的にデータ転送を行うようにすることもできる。つまり、携帯電話機を子機に接続して、その子機を経由して主装置の記憶部２３に格納し、子機から表示請求がある都度、主装置から携帯電話機の電話帳データを送信して子機の表示器に表示させる。この場合は、電話帳データは主装置の大容量の記憶部２３に格納されるから、子機側のメモリの利用可能な容量に関係なく、携帯電話機の電話帳データを全て格納することができる。
【００１６】
次に、主装置のメモリに携帯電話機の電話帳情報を格納する場合の処理を図５Ａ、５Ｂに基づいて説明する。
図５Ａにおいて、子機（１）で携帯電話機の電話帳データ取得操作がなされると（Ｓ２０１、ＹＥＳ）、主装置にローディング開始要求を出し（Ｓ２０２）、携帯電話機に電話帳データ転送要求を出し（Ｓ２０３）、ローディング終了（Ｓ２０４、ＹＥＳ）まで上記操作を繰り返す。
【００１７】
主装置に携帯電話機の電話帳データが格納された後、子機（２）で表示操作がなされると（Ｓ２０５、ＹＥＳ）、主装置に１件分のデータ転送を要求し（Ｓ２０６）、受信したデータを表示する（Ｓ２０７）。ここで、検索キーの操作があれば（Ｓ２０８、ＹＥＳ）、検索コードを主装置に送信し（Ｓ２０９）、ステップＳ２０７に戻る。ステップＳ２０８において、検索キーの操作がなく（Ｓ２０８、ＮＯ）、終了であれば（Ｓ２１０、ＹＥＳ）、表示を消去する（Ｓ２１１）。
終了でなく（Ｓ２１０、ＮＯ）、主装置から他のデータの表示要求があれば（Ｓ２１２、ＹＥＳ）、表示制御処理を行い（Ｓ２１３）、表示を終了すれば（Ｓ２１４、ＹＥＳ）元のデータの表示を再開する（Ｓ２１５）。
【００１８】
主装置における表示データ処理フローを図６を参考にして説明する。
主装置はローディング開始要求があると（Ｓ３０１、ＹＥＳ）、ローディングを開始し（Ｓ３０２）該ローディングを終了まで続ける（Ｓ３０３）。
ローディング要求がなく（Ｓ３０１、ＮＯ）、データ転送要求があると（Ｓ３０４、ＹＥＳ）、保存データを表示用データに加工し（Ｓ３０５）、データ転送を行う（Ｓ３０６）。
ローディング要求がなく（Ｓ３０１、ＮＯ）、データ転送要求もなく（Ｓ３０４、ＮＯ）、検索操作による検索コードを受信すると（Ｓ３０７、ＹＥＳ）、検索処理を行い（Ｓ３０８）、格納したデータを表示用データに加工して（Ｓ３０９）、データ転送を行う（Ｓ３１０）。
ステップＳ３０７で検索コードの受信もなく（Ｓ３０７、ＮＯ）、終了であれば（Ｓ３１１、ＹＥＳ）、データを消去する（Ｓ３１２）。  終了でなく（Ｓ３１１、ＮＯ）、他のデータの表示要求があれば（Ｓ３１３、ＹＥＳ）、表示要求データを転送する（Ｓ３１４）。
【００１９】
（表示データ処理方法３）
携帯電話機のデータ入出力端子５３と子機のデータ入出力端子４２とを接続し、携帯電話機から子機へのデータ伝送中に子機が受信データを解析して該当するデータを抽出して表示する。
つまり、この表示データ処理方法では前記の各処理方法とは異なり、携帯電話機からの電話帳データをボタン電話システム側のメモリに格納することなく、携帯電話機に接続した子機から携帯電話機の外部入力に操作を行う度に制御信号を送信し、移動電話のデータ出力端子からデータを出力してそのまま子機の表示器に表示させる。
【００２０】
図７は、この場合の処理フローを示す。
まず子機において表示操作を行い（Ｓ４０１、ＹＥＳ）、子機と携帯電話機が接続していれば（Ｓ４０２、ＹＥＳ）、携帯電話機にデータ転送要求を行い（Ｓ４０３）、携帯電話機の電話帳データを受信すると（Ｓ４０４、ＹＥＳ）、検索内容を１件毎にチェックし（Ｓ４０５）、前記データの終了コードがあれば（Ｓ４０６、ＹＥＳ）、その中に該当するデータがあると（Ｓ４０７、ＹＥＳ）そのデータを表示し（Ｓ４０８）、なければ（Ｓ４０７、ＮＯ）、該当なしを表示する（Ｓ４０９）。
【００２１】
なお、ボタン電話装置の子機と携帯電話機との接続方法は前記いずれの方法においても任意であるが、最低の転送レートであるシリアル転送を行った場合でも、
一つの電話帳データを
名前データ（８文字）×２バイト      ＝１６バイト
カタカナデータ（１０文字）×１バイト＝１０バイト
番号データ（１１文字）×１バイト    ＝１１バイト
トータル                            ＝３７バイト
として、シリア転送を行った場合：      ３７バイト／１９．７ｋ＝０．０００２（ｓ）
５００件分のデータ転送を行った場合：    ０．１（ｓ）
と、きわめて短時間でデータ転送可能である。
【００２２】
【発明の効果】
請求項１に対応する効果：携帯電話機の電話帳データをボタン電話システムの子機において直接表示でき、子機から電話をする場合、その都度携帯電話機の電話帳データを表示する操作を要することなく、携帯電話機の電話帳データを容易に利用可能である。
また、前記電話帳データを主装置の記憶装置に格納することにより子機の記憶容量に左右されることなく、携帯電話機の全ての電話帳データを子機において表示することができる。
請求項２に対応する効果：子機から必要な電話番号をその都度携帯電話機から送信させることによって、ボタン電話システムの記憶装置を一切使用することなく、携帯電話機の電話帳データを子機で表示することができる。
【図面の簡単な説明】
【図１】  本発明を実施するためのボタン電話装置の構成を概略的に示すブロック図である。
【図２】  ボタン電話装置の子機の構成を概略的に示すブロック図である。
【図３】  携帯電話機の構成を概略的に示すブロック図である。
【図４】  子機における表示データの処理を説明するためのフロー図である。
【図５】  子機における表示データの他の処理を説明するためのフロー図である。
【図６】  主装置における表示データの処理を説明するためのフロー図である。
【図７】  子機における表示データのさらに他の処理を説明するためのフロー図である。
【符号の説明】
１…主装置、３…子機（デジタル電話機）、１００…携帯電話機
【図１】
0003755145.tif 000002
【図２】
0003755145.tif 000003
【図３】
0003755145.tif 000004
【図４】
0003755145.tif 000005
【図５】
0003755145.tif 000006
【図６】
0003755145.tif 000007
【図７】
0003755145.tif 000008